(57)【特許請求の範囲】
【請求項１】
本体枠の横溝及び前記横溝に沿って移動される引戸の一方に設けられてケースと前記ケース内に摺動不能に係止した待機姿勢と前記係止を解除して摺動可能となる引込姿勢とに切り換えられるラッチ並びに付勢手段を有した引込具と、他方に設けられて前記ラッチを待機姿勢から引込姿勢に切り換えたり引込姿勢から待機姿勢に切り換えるストライカーとを備え、前記ラッチが待機姿勢から引込姿勢に切り換えられると前記引戸を付勢力により移動可能にする引戸補助装置において、
前記引戸は前記横溝と移動可能に嵌合する戸首付きであり、前記引戸の対応する端面が前記引込具のケース外形状により戸首の一部を形成し、かつ、前記戸首に代えて前記ケースのほぼ延長線上に設けられた遮光部と、前記遮光部の長手方向一端側又は長手方向の両端側に設けられて前記戸首を前記ケースと共に形成している受け部材とを有し、
前記ケースと前記遮光部、又は／及び、前記遮光部と前記受け部材とは嵌合ないしは係合構造により連接されているとともに、前記遮光部は縦断面が略逆Ｔ形からなり、Ｔ形の水平部ないしは前記水平部付近に設けられて前記引戸の対応する端面に弾接する弾性当接部を有していることを特徴とする引戸補助装置。
【請求項２】
前記引戸の対応する端面が、前記ケース及び前記遮光部並びに前記受け部材、又は、前記ケースと前記受け部材及び前記遮光部並びに前記受け部材を前記引戸の前後端ないしは左右端の間に略直線上に配置していることを特徴とする請求項１に記載の引戸補助装置。
【請求項３】
前記遮光部は、前記引戸の対応する端面に対し接着剤、両面接着テープ、圧入、或いは前記ケース及び前記受け部材との間の係合構造の何れかにより取り付けられることを特徴とする請求項１又は２に記載の引戸補助装置。
【請求項４】
本体枠の横溝及び前記横溝に沿って移動される引戸の一方に設けられてケースと前記ケース内に摺動不能に係止した待機姿勢と前記係止を解除して摺動可能となる引込姿勢とに切り換えられるラッチ並びに付勢手段を有した引込具と、他方に設けられて前記ラッチを待機姿勢から引込姿勢に切り換えたり引込姿勢から待機姿勢に切り換えるストライカーとを備え、前記ラッチが待機姿勢から引込姿勢に切り換えられると前記引戸を付勢力により移動可能にする引戸補助装置において、
前記引戸が前記横溝と移動可能に嵌合する戸首付きであり、前記引戸の対応する端面が前記引込具のケース外形状により戸首の一部を形成しているとともに、前記ストライカーが前記横溝の内側に取り付けられる取付部、及び前記取付部に突設されて前記ラッチに係脱される係合突起、並びに前記引戸の移動時の傾きないしは跳ね上がりを防ぐために用いられる隙間調整用スペーサを有し、
前記スペーサは前記取付部又は前記取付部に一体になった他のスペーサに対し裁断可能に接続されており、裁断後に前記取付部又は前記取付部から延びた延長部に重ねられることを特徴とする引戸補助装置。
【請求項５】
請求項１から４の何れかに記載の引戸補助装置により引き込まれる戸首付き引戸。
【発明の詳細な説明】
【技術分野】
【０００１】
本発明は、引戸が閉や開操作の途中から付勢力により閉位置又は開位置まで切り換えられようにする引戸補助装置、及びその装置により引き込まれる戸首付き引戸に関する。なお、対象の引戸補助装置は、引戸クローザー、摺動補助装置、緩衝閉鎖装置などとも称されている。
【背景技術】
【０００２】
図１５は特許文献１に開示の装置を示している。符号Ｆは本体枠を構成している鴨居である。鴨居Ｆには引戸用の横溝が設けられている。引戸Ｄは前記横溝に嵌合する戸首Ｄ1を有している。そして、この構造では、引込具（装置本体）１が引戸Ｄ側に設けられ、ストライカー（係合部材）２が鴨居Ｆの横溝側に取り付けられる。ストライカー２は、鴨居Ｆの横溝内に取り付けられて、先端の係合突起２ａを下向きに突出している。
【０００３】
引込具１は、細長形状のケース３と、ケース３内に配置されて摺動不能に係止した同図（ｂ）の待機姿勢と前記係止を解除して摺動可能となる同図（ｃ）の引込姿勢とに切り換えられるラッチ（係合部材）５と、閉鎖手段Ｂとして用いられたコイルスプリング４０とを有している。符号１２は第１のシリンダーであり第１のピストン１１を駆動する。符号６はピストンロッドであり、先端側にラッチ５を枢支している。ケース３は、上側が一端側から途中までを開口した凹溝３ａと、前後に延びる第１の案内溝２５及び第２の案内溝２６とを有している。凹溝３ａは係合突起２ａをケース内に出入り可能にする。案内溝２５，２６はラッチ５の水平な摺動をガイドする。案内溝２５は、ケース入口側となる一端側が下向きに折り曲げられてラッチ５を摺動不能に係止する折曲部２５ａを有している。そして、ケース３は、引戸Ｄの対応する端面に設けられた凹状部に下部分を埋設した取付状態で、戸首Ｄ1と連続する戸首の一部を形成している。
【０００４】
以上の装置において、同（ｂ）のラッチ５の待機姿勢では、ラッチ５に設けられた係合軸２１が折曲部２５ａに係止され、ラッチ５がコイルスプリング４０に蓄積された付勢力に抗し位置規制されている。そして、同（ｂ）の状態から、引戸Ｄが更に左方向へ移動されると、係合突起２ａがラッチ５の対応内面に当たり、ラッチ５がその応力で回転されて待機姿勢から同（ｃ）の引込姿勢に切り換えられる。この引込姿勢では、ラッチ５が係合突起２ａを拘束した状態で、係合軸２１が折曲部２５ａから係止解除されて案内溝２５の水平溝部に入る。このため、ラッチ５は、コイルスプリング４０に蓄積された付勢力により摺動され、引戸Ｄを係合突起２ａを介して閉位置に自動で切り換える。また、閉位置から引戸Ｄの開操作によって、ラッチ５が図面の右側へ摺動されると、それに伴って同（ｂ）のごとく付勢力を蓄積する。更に引戸が開方向へ動かされると、再び待機姿勢に切り換えられる。
【先行技術文献】
【特許文献】
【０００５】
【特許文献１】特開２００９−２７５５０２号公報
【発明の概要】
【発明が解決しようとする課題】
【０００６】
上記したような装置では、引込具及びストライカーのうち、一方が本体枠の横溝、他方が引戸に設けられる。引用文献１の場合は、単純なストライカーの方を本体枠の横溝内に配置し、複雑で設置スペースも大きく必要となる引込具の方を引戸に配置している。この構造では、ストライカーの方は本体枠つまり鴨居等に設けられた横溝に簡単に設置可能である。しかし、引込具の方は、引戸の端面に突出している戸首の一部を切除したり、切除後に設置用の凹状部を形成してから取付操作しなければならない。このため、この構造では、引込具を引戸に簡単に設置できないばかりでなく引戸自体も高価となる。
【０００７】
本発明の目的は、上記したような課題を解消して、引込具及びストライカーからなる引戸補助装置を戸首付き引戸に簡単かつ容易に適用できるようにし、簡易化及び外観特性を維持して作動特性を向上することにある。
【課題を解決するための手段】
【０００８】
請求項１の本発明は、第１形態の例で特定すると、本体枠９の横溝９ａ及び前記横溝に沿って移動される引戸５０の一方に設けられてケース１と前記ケース内に摺動不能に係止した待機姿勢と前記係止を解除して摺動可能となる引込姿勢とに切り換えられるラッチ３並びに付勢手段Ｓを有した引込具５と、他方に設けられて前記ラッチ３を待機姿勢から引込姿勢に切り換えたり引込姿勢から待機姿勢に切り換えるストライカー６とを備え、前記ラッチ３が待機姿勢から引込姿勢に切り換えられると前記引戸５０を付勢力により移動可能にする引戸補助装置において、前記引戸５０は前記横溝と移動可能に嵌合する戸首付きであり、前記引戸５０の対応する端面５１が前記引込具のケース外形状により戸首の一部を形成し、かつ、前記戸首に代えて前記ケース１のほぼ延長線上に設けられた遮光部７と、前記遮光部の長手方向一端側又は長手方向の両端側に設けられて前記戸首を前記ケース１と共に形成している受け部材８とを有し、
前記ケース１と前記遮光部７、又は／及び、前記遮光部７と前記受け部材８とは嵌合ないしは係合構造（７４，８５）により連接されているとともに、前記遮光部７は縦断面が略逆Ｔ形からなり、Ｔ形の水平部ないしは前記水平部付近に設けられて前記引戸の対応する端面に弾接する弾性当接部７３（７５）を有していることを特徴としている。
【０００９】
以上の本発明において、引戸には戸首付き障子及び戸首付き襖なども含まれる。本体枠は、引戸の戸首と嵌合する横溝を有しているとともに、引戸を開位置と閉位置とに移動自在に支持する矩形枠である。通常は、下側の横木ないしは敷居、上側の横木ないしは鴨居と、両側の縦木により引戸に対応した大きさの開口部を区画している。引戸の対応する端面とは、各形態だと引戸の上端面であるが、引戸が敷居などの横溝に嵌合する構成だと引戸の下端面でもよい。これらは後述する請求項４でも同じ。
【００１０】
以上の本発明は、請求項２〜６のごとく具体化されることがより好ましい。すなわち、
（ア）前記引戸の対応する端面５１が、第２形態のごとく前記ケース１及び前記遮光部７並びに前記受け部材８、又は、第１形態のごとく前記ケース１と前記受け部材８及び前記遮光部７並びに前記受け部材８を前記引戸の前後端ないしは左右端５０ａ，５０ｂの間に略直線上に配置している構成である（請求項２）。
【００１１】
（イ）前記遮光部７は、前記引戸の対応する端面に対し接着剤、両面接着テープ、圧入、或いは前記ケース及び前記受け部材との間の係合構造（７４，８５）の何れかにより取り付けられる構成である（請求項３）。
【００１２】
これに対し、請求項４の本発明は、第２形態の例で特定すると、本体枠９の横溝９ａ及び前記横溝に沿って移動される引戸５０の一方に設けられてケース１と前記ケース内に摺動不能に係止した待機姿勢と前記係止を解除して摺動可能となる引込姿勢とに切り換えられるラッチ３並びに付勢手段Ｓを有した引込具５と、他方に設けられて前記ラッチ３を待機姿勢から引込姿勢に切り換えたり引込姿勢から待機姿勢に切り換えるストライカー６とを備え、前記ラッチ３が待機姿勢から引込姿勢に切り換えられると前記引戸５０を付勢力により移動可能にする引戸補助装置において、前記引戸５０が前記横溝９ａと移動可能に嵌合する戸首付きであり、前記引戸の対応する端面５１が前記引込具５のケース外形状により戸首の一部を形成しているとともに、前記ストライカー６Ａが前記横溝の内側に取り付けられる取付部６０、及び前記取付部に突設されて前記ラッチ３に係脱される係合突起６１、並びに前記引戸の移動時の傾きないしは跳ね上がりを防ぐために用いられる隙間調整用スペーサ６７を有し、前記スペーサは前記取付部又は前記取付部に一体になった他のスペーサに対し裁断可能に接続されており、裁断後に前記取付部又は前記取付部から延びた延長部に重ねられることを特徴としている。
【００１３】
以上の本発明において、ストライカーは、取付部及び係合突起並びに隙間調整用のスペーサを一体的に有し、前記係合突起を介して引込具のラッチを引込姿勢と待機姿勢とに切り換える。待機姿勢では、ラッチが付勢手段に蓄積された付勢力に抗し摺動不能に係止されている。引込姿勢では、ラッチが係合突起を拘束した状態で係止解除され、蓄積された付勢力により引戸を開途中から閉位置又は閉途中から開位置まで移動する。スペーサは、引戸が本体枠側の横溝に戸首としての引込具のケースを嵌合した状態において、横溝と引込具用ケースとの間の隙間が大きい場合などに用いられて、引戸の移動時の傾きないしは跳ね上がり防止可能にする。
【００１４】
（ウ）これに対し、請求項５は以上の引戸補助装置により引き込み可能な戸首付き引戸を特定したものである。
【発明の効果】
【００１５】
請求項１の発明では、引込具のケース外形状により戸首の一部を形成し、かつ、戸首に代えて前記ケースのほぼ延長線上に設けられた遮光部を有しているため、各形態に例示されるごとく引戸としては戸首なしの状態で作製しておき、引戸の端面（戸首なしの状態で作製されるため通常は平坦面となっている）に引込具及び遮光部を略直線状に付設するだけで引戸補助装置を簡単かつ加工費を抑えて実施できる。換言すると、この構造では、特許文献１に比べて、引込具のケース外形状により戸首の一部を形成する点で類似しているが、戸首に代えて遮光部を付設するため引戸の対応する端面を平坦面に形成可能となり、これによって引戸作製工数を低減でき、室内の光が戸首の一部を形成しているケース外形状意外の箇所から外へ洩れるという不具合を遮光部により解消できる。
【００１６】
また、この発明では、 引戸の対応する端面が第２形態のごとく遮光部の長手方向一端側、又は、第１形態のごとく長手方向の両端側に設けられて前記戸首をケースと共に形成している受け部材を有していると、引込具のケース外形状だけで戸首を形成する構成に比べ戸首として機能する箇所が長くなり、それによって引戸の安定した移動を維持し易く信頼性も得られる。
【００１７】
また、この発明では、ケースと遮光部、又は／及び、遮光部と受け部材とが嵌合ないし
は係合構造により連接されているため、外観特性を維持できるとともに、部材同士の間からの上記した光の漏れを確実になくすことができる。しかも、この発明では、遮光部が弾性当接部を有して引戸の端面に圧接し易くなっているため引戸の端面と遮光部との間からの上記した光の漏れをより確実になくすことができる。
【００１８】
請求項２の発明では、引戸の対応する端面が第２形態のごとく戸首用の形状を形成しているケース及び遮光部並びに受け部材を有する構成と、第１形態のごとく戸首用の形状を形成しているケースと受け部材及び遮光部並びに受け部材を有する構成とを含むことと、何れの構成でも例えば室内の光が戸首の一部を形成しているケース外形状及び受け部材意外の箇所から外へ洩れるという不具合を遮光部により解消できるようにする。
【００１９】
請求項３の発明は、遮光部が引戸の端面に対し接着剤、両面接着テープ、圧入、或いはケース及び受け部材との間の係合構造の何れかにより取り付けられる点を確認的に特定したことに意義がある。
【００２０】
請求項４の発明では、ストライカーを本体枠の横溝に設け引込具を引戸に設ける構造において、ストライカーが取付部及び係合突起と共に隙間調整用スペースを有しているため、例えばストライカーを本体枠の横溝に付設するときに引戸の横溝との相対的隙間が大きくなるとき、又は、引戸が継続使用により変形して移動時に跳ね上がってスムースに移動できなくなったときに、スペーサを使って隙間調整を的確に行うことができる。
【００２１】
また、この発明では、スペーサを取付部又は取付部に一体になった他のスペーサに対し裁断して、取付部又は取付部から延びた延長部に重ねることで隙間調整を迅速に行うことができる。
【００２２】
請求項５の発明では、戸首付き引戸として以上の各請求項の引戸補助装置の利点を具備できる。
【図面の簡単な説明】
【００２３】
【図１】第１形態の装置を示し、（ａ）は本体枠の横溝とストライカーの関係図、（ｂ）は引戸と引込具等の関係図、（ｃ）は引戸を横溝に嵌合した状態を示す図である。
【図２】上記引戸の要部の詳細を示し、（ａ）は上面図、（ｂ）は側面図、（ｃ）は端面図である。
【図３】上記引込具の構成を示す分解図である。
【図４】上記引込具のラッチを示し、（ａ）は上面図、（ｂ）は（ａ）のＡ矢印方向から見た図、（ｃ）は（ａ）のＢ矢印方向から見た図である。
【図５】上記引込具のスライダーを示し、（ａ）は上面図、（ｂ）は（ａ）のＣ矢印方向から見た図、（ｃ）は（ａ）のＤ矢印方向から見た図である。
【図６】上記引戸補助装置の遮光部材及び受け部材を示す構成図である。
【図７】（ａ）は上記遮光部材の縦断面図、（ｂ）は上記遮光部材の変形例１を示す断面図、（ｃ）は上記遮光部材の変形例２を示す断面図である。
【図８】第２形態の装置を示し、（ａ）は本体枠の横溝とストライカーの関係図、（ｂ）は引戸と引込具等の関係図、（ｃ）は引戸を横溝に嵌合した状態を示す図である。
【図９】上記引戸の要部の詳細を示し、（ａ）は上面図、（ｂ）は側面図、（ｃ）は端面図である。
【図１０】上記引戸補助装置の受け部材を示し、（ａ）は上面図、（ｂ）は（ａ）のＥ矢印方向から見た図、（ｃ）は（ａ）のＦ矢印方向から見た図である。
【図１１】上記引戸補助装置の遮光部材及び受け部材等を示す構成図である。
【図１２】上記引戸補助装置のストライカーを示し、（ａ）は成形した状態での側面図、（ｂ）はその下面図である。
【図１３】上記ストライカーの使用例を示し、（ａ）はスペーサを裁断した状態での概略斜視図、（ｂ）はそのスペーサを重ねた状態での概略斜視図である。
【図１４】上記各引戸補助装置の作動として第２形態により示し、（ａ）はラッチの待機姿勢での状態図、（ｂ）はラッチの引込姿勢での状態図である。
【図１５】特許文献１の装置を示し、（ａ）は本体枠側ストライカー及び引戸側引込具を示す配置図、（ｂ）はラッチの待機姿勢での状態図、（ｃ）はラッチの引込姿勢での状態図である。
【発明を実施するための形態】
【００２４】
本発明形態を図面を参照しながら説明する。図１〜図７は第１形態を示し、図８〜図１４は第２形態を示している。以下の説明では、第１形態の装置構造、第２形態の装置構造、各形態の作動の順に詳述する。なお、図面では、例えば引込具の幅寸法がかなり小さく作図上の制約から細部を簡略化したり省略している。
【００２５】
（第１形態）第１形態の引戸補助装置は、引込具５及びストライカー６から構成され、引戸を開位置と閉位置との間で移動する構成のうち、特に本体枠９の横溝９ａに嵌合する戸首付きの引戸５０を対象としている。そして、引戸５０は、図１及び図２に示されるごとく平坦面に形成された上端面５１にあって、引戸の前後端ないしは左右端５０ａ，５０ｂの間に引込具５のケース１、受け部材８、遮光部材７、受け部材８を略直線上に並設しており、カバー１５付きケース１の外形状及び各受け部材８によって所定長さの戸首を形成している。これに対し、ストライカー６は、取付部６０、及び取付部６０に突設されてラッチ３に係脱される係合突起６１を有している。
【００２６】
なお、このケース１及び受け部材８で形成される戸首は、本体枠９の横溝９ａの溝内に嵌合する寸法であり、通常は溝幅が１５〜２０ｍｍ程度に設定されている。本体枠９は、例えば、上側の鴨居及び下側の敷居と、両側の縦木により矩形の開口部を区画している。鴨居には、戸首に対応する一対の横溝９ａが平行に形成され、引戸５０に対応した大きさの開口部を区画している。また、各形態では、本体枠９が鴨居側の横溝９ａに対応し、引戸５０の上端面５１にケース１の外形状及び各受け部材８により所定長さの戸首を形成した例を挙げた。但し、本発明は、それに代え或いはそれと共に、本体枠が敷居の横溝に対応し、引戸の下端面にケース１の外形状及び各受け部材８により所定長さの戸首を形成する構成でもよい。
【００２７】
（引込具）まず、引込具５は、上記した横溝９ａに配設されるケース１と、ケース１に摺動自在に配されたスライダー２と、スライダー２に枢支されてケース対応部に係止（摺動不能に係止）する待機姿勢と係止解除して摺動可能となる引込姿勢とに切り換えられるラッチ３と、付勢手段Ｓと、制動手段４とを有し、ラッチ３が待機姿勢から引込姿勢に切り換えられると、付勢手段Ｓに蓄積されていた付勢力により引戸９を例えば開から閉位置へ引き込むようにする。
【００２８】
ここで、ケース１は、図２及び図３に示されるごとく上記した横溝９ａに対応して細長く形成されており、長手方向の一端から他端の途中まで幅細となるよう切り欠いた誘い部１ａと、一端側より誘い部１ａに向けて傾斜した案内部１ｂとを形成しているとともに、設置面となる下面１０及び両側面１２並びに上側開口を閉じているカバー１５により内部を区画形成している。
【００２９】
ケース１内には、長手方向に沿う２列構成の付勢手段用配置部１１ａ及び制動手段用配置部１１ｂと、長手方向の両端側に貫通形成された取付穴１３ａ，１３ｂと、取付穴１３ｂの手前に立設された縦壁１２ｂと、縦壁１２ｂのうち配置部１１ａ側に設けられて付勢手段Ｓであるコイルばねの一端Ｓ1を係止する係止部１２ｃ、及び配置部１１ｂ側に設けられて制動手段４であるシリンダー４０の端部を係止する規制部１２ｄと、ガイド部１４とが設けられている。ガイド部１４は、両配置部１１ａと１１ｂとの間にあって、略中間位置より取付穴１３ａの手前に向かって延びている直線溝１４ａと、直線溝１４ａから取付穴１３ａ側の手前で略Ｌ形に屈曲されている係止溝１４ｂとからなる。
【００３０】
カバー１５には、ケース１に対応した不図示の付勢手段用配置部及び制動手段用配置部と、片側を長手方向に切り欠いてストライカー６の係合突起６１をカバーの幅中央側に導く誘い部１６と、取付穴１３ａに重ねられる穴１７ａ付きの取付部１７と、付勢手段Ｓであるコイルばねの遊びを抑える不図示のガイド片と、取付部１７と反対側の端部側に設けられて制動手段Ｓであるシリンダー５０の端部を上から押さえる不図示の規制部と、ガイド部１４に対応した不図示のガイド部とが設けられている。不図示のガイド部は、直線溝１４ａに対応する直線溝と、係止部１４ｂに対応する略Ｌ形の係止溝とからなる。 図３中、符号１８は前記ガイド片を形成するために設けられた凹部である。
【００３１】
ケースの両側面１２及びカバーの両側１９には、カバー１５をケース１に重ねたときに互いに係合する係止部１２ａと係合部１９ａとが複数対に設けられている。そして、この例では、カバー１５がそれらの係合を介してケース１に装着され、その状態でカバー側誘い部１６（引込具５の誘い部１ａ）に後述するラッチ３を露出するようになっている。以上のケース１及びカバー１５は外形状として、誘い部１６を形成している箇所を除いて、高さ及び幅寸法が従来の引戸に設けられる戸首と同じ、つまり従来の戸首を兼ねるよう設計されている。
【００３２】
スライダー２は、図３及び図５に示されるごとくケース１とカバー１５との間の空間に配置される樹脂製の小ブロック状をなし、上下面２０，２１に設けられた凸部２３，２４及び貫通孔２６ａ，２６ｂと、背面２２に設けられて貫通孔２６ａ，２６ｂに通じている差込穴２５と、上面２０側から下設されている連結用軸部２７とを有している。なお、図３において、上面２０はカバー１５側に配置されて凸部２３が上記したカバー側のガイド部と嵌合し、下面２１はケース１側に配置されて凸部２４がガイド部１４に嵌合する。貫通孔２６ｂには図３の止め輪５２が配置される。
【００３３】
制動手段４はピストン式ダンパー式が使用されている。このピストン式ダンパーは公知のもの（例えば、特開２００６−２９５６４号等）であればよく、シリンダー４０及び該シリンダー４０に緩やかに出没されるピストンロッド４１を有し、例えば、ピストンロッド４１が固定側シリンダー４０に対し緩やかに駆動する構成であればよい。シリンダー４０は図３のごとく後端外周に首状係止溝４２を有し、ピストンロッド４１は先端外周に首状係止溝４３を有している。
【００３４】
ラッチ３は、図３及び図４に示されるごとくスライダー２とほぼ同じ厚さからなる樹脂成形体で、上下面３０，３１に設けられた凸部３３，３４と、背面３２付近に設けられて上下方向に貫通している枢支孔３７と、背面３２と反対側つまり前側に設けられた爪部３５と、爪部３５の内側を欠肉した拘束部３６と、背面３２側から一側部に突設されているばね用係止部３８とを有している。なお、図３において、上面３０はカバー１５側に配置されて凸部３３が上記したカバー側のガイド部と嵌合し、下面３１はケース１側に配置されて凸部３４がガイド部１４と嵌合する。枢支孔３７には軸部２７が嵌合される。係止部３８は掛止め孔３９を有し、そこに付勢手段Ｓの他端Ｓ2を係止する。
【００３５】
付勢手段Ｓはコイルバネが用いられている。このバネの全寸は、後述する図１４（ｂ）のごとく付勢力を解放した状態で、シリンダー４０の長さとほぼ等しくなっており、同（ａ）のごとくピストンロッド４１を介して長く延ばされることで付勢力を蓄積できるようにしている。両端には取付用の係止部Ｓ1，Ｓ2が設けられている。
【００３６】
以上の各部材は、例えば、スライダー２及びラッチ３を軸部２７及び枢支孔３７の係合を介して連結した状態で、制動手段５であるピストン式ダンパー及び付勢手段Ｓであるコイルバネとともにケース１に組み入れ、かつ、ケース１にカバー１５を取り付けることで引込具５として完成される。この場合、ピストンロッド４１は、図１４（ａ），（ｂ）の各拡大図のごとくスライダー２に対しロッド先端を差込穴２５に挿入し、止め輪５２を貫通孔２６ｂ内でロッド先端外周の係止溝４３に係合することで連結される。制動手段５とスライダ２及びラッチ３は、ケース１の配置部１１ｂに沿って配置される。そして、シリンダー４０は、上記した規制部１２ｄ（と不図示のカバー側規制部）に係止溝４２を係合することでケース１に位置固定される。
【００３７】
スライダー２及びラッチ３は、下側の凸部２４及び凸部３４がケース側ガイド部１４に嵌合し（かつ、上側の凸部２３及び凸部３３が不図示のカバー側ガイド部に嵌合）した状態でケース１に摺動自在に配置される。付勢手段Ｓであるコイルバネは、一端側の係止部Ｓ1がケース側係止部１２ｃに掛け止めされ、他端側の係止部Ｓ2がラッチ側係止部３８の掛止め孔３９に係止される。そして、ラッチ３は、凸部３３，３４がスライダー２の摺動に伴って直線溝１４ａに沿って摺動される引込姿勢と、直線溝１４ａから係止溝１４ｂに入って摺動不能に係止される待機姿勢とに切り換えられる。なお、この例では、付勢手段Ｓであるコイルバネの他端係止部Ｓ2をラッチ３に係止したが、これに代えて他端係止部Ｓ2をスライダー２側に係止してもよい。
【００３８】
（遮光部材）この遮光部材７は、特に図１及び図６と図７（ａ）に示されるごとく引戸５０が戸首なしの状態、つまりこの例だと上端面５１が平坦面に形成され、そこに引込具５を構成しているカバー１５付きケース１により戸首を形成したため、室内の光が戸首の無い箇所から外へ漏れないように遮光する部材である。すなわち、遮光部材７は、樹脂やラバーなどの弾性材質からなり、縦断面が略逆Ｔ形となっていて、水平部７０と、水平部７０に起立された遮光部７１と、水平部７０の両側から下向きに設けられた脚部７２と、両脚部７２の間にあって水平部７０の下面から下斜めに突出されて脚部７２よりも下へ延びている弾性当接部７３とを一体に形成している。また、遮光部材７は、引戸の上端面５１に取り付けられた状態において、引込具５に比べ高さ寸法がほぼ同じであり、幅寸法がケース１の幅よりも小さく設定されている。遮光部材７の長さは、引込具５（のカバー付きケース１）と受け部材８の長さ、及び受け部材８の使用個数などを考慮して決められる。
【００３９】
以上の遮光部材７は、引戸の上端面５１に対して、両側が上端面５１に固定される対応する受け部材８に係合された状態で取り付けられる。この取付状態において、遮光部材７は、弾性当接部７３が上端面５１に圧接して上端面５１と遮光部材７との間からの光漏れを防ぎ、遮光部７１が引戸５０の使用状態において横溝９ａを介した光漏れを確実に防ぐ。なお、遮光部材７の取付構造は、係合構造に代えて引戸５０の対応する端面に対し接着剤、両面接着テープ、圧入などであってもよい。
【００４０】
図７（ｂ）及び（ｃ）は以上の遮光部材の形状を変更した２例を示している。同（ｂ）の遮光部材７Ａは、樹脂やラバーなどの弾性材質からなり、縦断面が略逆Ｔ形となっていて、水平部７０と、水平部７０に起立された遮光部７１と、水平部７０の両側から下向きに設けられて先端側を細くした脚兼用弾性当接部７５とを一体に形成している。換言すると、遮光部材７Ａは、遮光部材７に比べ簡略化した一例、つまり弾性当接部７３を省いた点、両脚部７２を弾性当接部７５として形成した点で変更されている。
【００４１】
これに対し、（ｃ）の遮光部材７Ｂは、樹脂やラバーなどの弾性材質からなり、縦断面が略逆Ｔ形となっていて、水平部７０と、水平部７０に起立された遮光部７１とを一体に形成している。また、水平部７０は、両側の下面７０ｂが中間部７６よりも一段張り出しているとともに、凹溝７７を介して中間部７６に接続した形状となっている。この遮光部材７Ｂは、遮光部材７に比べ引戸５０の対応する端面に対し下面７０ｂを接着剤や両面接着テープを介して固定し易くした点、遮光部７１が凹溝７７を介して上下に弾性変位可能にした点で変更されている。
【００４２】
（受け部材）この受け部材８は、図１及び図６などに示されるごとく遮光部材７を引戸５０の平坦となった上端面５１に取り付けるための手段と、引戸５０の戸首を引込具５のケース外形状により形成した関係で戸首の長さを補う戸首形成作用とを受け持つ部材である。すなわち、受け部材８は、両側面８１及び上下面８２，８３並びに前後端面８４で区画された矩形立体の樹脂成形体からなる。受け部材８には、上下面８２，８３を貫通している中央部の取付孔８０と、前後端面８４に対向している略逆Ｔ形の嵌合溝８５とが設けられている。取付孔８０は、円形ではなく、幅方向を大きくした長孔形状となっており、受け部材８を図２のごとく引戸の上端面５１にあってねじＭにより引込具５の延長線上に取り付けるとき幅方向に微調整可能にしている。嵌合溝８５は、縦溝８５ｂ及び下側の水平溝８５ａからなり、遮光部材７の対応端部７４を嵌合可能な溝形状となっている。すなわち、遮光部材７の対応端部７４のうち、水平部７０の端部７０ａは水平溝８５ａに嵌合され、遮光部７１の端部７１ａは縦溝８５ｂに嵌合される。
【００４３】
図２は引戸５０の平坦状になった上端面５１にあって、引戸の左右端５０ａ，５０ｂの間に以上の引込具５のケース１、受け部材８、遮光部材７、受け部材８を略直線上に配設した配置例を示している。この配置では、引込具５が穴１７ａ及び取付孔１３ｂに挿通される２本のねじＭにより取り付けられ、左側の受け部材８が引込具５のケース１に当接した状態で取付孔８０に挿通されるねじＭにより取り付けられ、遮光部材７が左側の受け部材８と右側の受け部材８との間でそれぞれ嵌合ないしは係合構造、つまり遮光部材側端部７４と受け部材側嵌合溝８５との嵌合ないしは係合を介してそれぞれ連接される。以上のような構造では、戸首付き引戸５０といっても、戸首が引込具５を構成しているケース１の外形状により、或いは、ケース１の外形状及び受け部材８の外形状により形成されるため、引戸作製費を低減可能にし、しかも引戸５０への引込具５の組み込みも引用文献１のように特別な加工を施すことなく行えるという利点を有している。
【００４４】
（ストライカー）第１形態のストライカー６は、図１に示されるごとく取付部６０と、取付部６０に突設された係合突起６１とを一体に形成した射出成形体である。取付部６０は、横溝９ａに収まる幅寸法であり、一側に直角に折り曲げられたガイド壁６３と、２つの取付孔６２ａ，６２ｂを有している。以上のストライカー６は、横溝９ａに対し、取付部６０を溝内底面に位置決め配置した後、取付孔６２ａ，６２ｂに挿通される２本のねじＭにより取り付けられる。この場合も、取付孔６２ａは、円形ではなく、幅方向を大きくした長孔形状となっていて、ストライカー６を横溝９ａに真っ直ぐに取り付けるとき幅方向に微調整可能にしている。
【００４５】
ストライカー６は、取付状態において、係合突起６１が横溝内に突出されている。ガイド壁６３は、係合突起６１と所定間隔（引込具１のうち、誘い部１ａが設けられている箇所を形成している部分の幅寸法と同じか、若干大きな間隔）を保って対向しており、引戸５０が横溝９ａに沿って移動されるとき引込具５の対応側面（誘い部１ａと反対側の側面）がこの壁面に沿って精度よく移動されるようにする。但し、ガイド壁６３は省略可能である。以上のような構造では、横溝９ａに加工を施すことなくストライカー６を簡単に取り付けることができ、例えば引込具を横溝９ａに配置する従来構造に比べ取付工数を大幅に低減可能にするという利点を有している。
【００４６】
（第２形態）図８〜図１４は第２形態の引戸補助装置を示している。この説明では、上記第１形態と同一部材及び作用的に同じ部位に同じ符号を付し、変更した構成だけを明らかにして重複した記載を極力省く。すなわち、第２形態では、第１形態に対し引込具５及び遮蔽部材７が同じくし、受け部材８Ａ及び全体の配置構成、ストライカー６Ａが変更されている。引戸５０の上端面５１には、図８及び図９に示されるごとく引込具５のケース１、遮光部材７、受け部材８を配設しており、カバー１５付きケース１の外形状及び受け部材８Ａによって所定長さの戸首を形成している。これに対し、ストライカー６Ａは、横溝９ａの内側に取り付けられる取付部６０、及び取付部６０に突設されてラッチ３に係脱される係合突起６１、並びに引戸５０の移動時の傾きないしは跳ね上がりを防ぐために用いられる複数の隙間調整用スペーサ６７を有している。
【００４７】
（引込具）引込具５は、第１形態と同じであり、ケース１と、ケース１に摺動自在に配されたスライダー２と、スライダー２に枢支されてケース対応部に係止（摺動不能に係止）する待機姿勢と係止解除して摺動可能となる引込姿勢とに切り換えられるラッチ３と、付勢手段Ｓと、制動手段４とを有し、ラッチ３が待機姿勢から引込姿勢に切り換えられると、付勢手段Ｓに蓄積されていた付勢力により引戸９を開から閉位置へ引き込むようにする。このうち、ケース１は、上記説明した通りであり、加えて図１４（ａ）の右側の拡大図に示されるごとく取付孔１３ｂが設けられている端面側にガイド部１３が設けられている。ガイド部１３はガイド部８５とほぼ同じであり、下面から上面の少し下側に設けられている縦溝１３ｃ及び不図示の下側の水平溝からなり、遮光部材７の対応端部７４を嵌合可能な溝形状となっている。換言すると、この構造では、遮光部材７の対応端部７４のうち、水平部７０の端部７０ａは上記した不図示の水平溝に嵌合され、遮光部７１の端部７１ａは縦溝１３ｃに嵌合される。
【００４８】
（受け部材）この受け部材８Ａは、図８及び図１０並びに図１１に示されるごとく第１形態の受け部材８よりも少し長く形成されているが、遮光部材７を引戸５０の平坦となった上端面５１に取り付けるための手段と、引戸５０の戸首を引込具５のケース外形状により形成した関係で戸首の長さを補う戸首形成作用とを受け持つ点で第１形態と同じ。すなわち、受け部材８Ａは、両側面８１及び上下面８２，８３並びに前後端面８４，８８で概略区画された樹脂成形体からなる。受け部材８Ａには、上下面８２，８３を貫通している２つの取付孔８０と、前端面８４に刻設された略逆Ｔ形の嵌合溝８５と、後端面８８に突出されて後端面８８の下側から延びた座部８６上に位置している縦壁８７とが設けられている。但し、係止用後壁８７は省略してもよい。各取付孔８０は、円形ではなく、幅方向を大きくした長孔形状となっており、受け部材８Ａを図８のごとく引戸の上端面５１にあってねじＭにより引込具５の延長線上に取り付けるとき幅方向に微調整可能にしている。嵌合溝８５は、縦溝８５ｂ及び下側の水平溝８５ａからなり、遮光部材７の対応端部７４を嵌合可能な溝形状となっている。すなわち、遮光部材７の対応端部７４のうち、水平部７０の端部７０ａは水平溝８５ａに嵌合され、遮光部７１の端部７１ａは縦溝８５ｂに嵌合される。
【００４９】
図９は引戸５０の平坦状になった上端面５１にあって、引戸の左右端５０ａ，５０ｂの間に以上の引込具５のケース１、遮光部材７、受け部材８Ａを略直線上に配設した配置例を示している。この配置では、引込具５が穴１７ａ及び取付孔１３ｂに挿通される２本のねじＭにより取り付けられ、遮光部材７がケース１の対応端部側と受け部材８Ａとの間でそれぞれ嵌合ないしは係合構造、つまり遮光部材７の一端部７４とケース１の嵌合溝１３ｃとの嵌合ないしは係合、遮光部材７の他端部７４と受け部材８Ａの嵌合溝８５との嵌合ないしは係合を介してそれぞれ連接される。以上のような構造では、第１形態と同じく戸首付き引戸５０といっても、戸首が引込具５を構成しているケース１の外形状により、或いは、ケース１の外形状及び受け部材８の外形状により形成されるため、引戸作製費を低減可能にし、引戸５０への引込具５の組み込みも引用文献１のように特別な加工を施すことなく行えるという利点に加え、遮光部材７をケース１と単一の受け部材８Ａとの間で隙間無く連接固定できるという利点も具備できる。
【００５０】
（ストライカー）第２形態のストライカー６Ａは、図８及び図１２並びに図１３に示されるごとく取付部６０と、取付部６０に突設された係合突起６１と、取付部６０の一方側に延設されてスペーサ用配置部６５を形成している延長部６４と、取付部６０の他方側に切断可能に接続された複数の隙間調整用スペーサ６７とを一体に形成した射出成形体である。ストライカー６Ａの幅寸法は横溝９ａに収まる幅寸法である。取付部６０には２つの取付孔６２ａ，６２ｂが設けられている。取付孔６２ａは、円形ではなく、幅方向を大きくした長孔形状となっていて、ストライカー６Ａを横溝９ａに真っ直ぐに取り付けるとき幅方向に微調整可能にしている。
【００５１】
延長部６４は、取付部６０の隣に形成されて矩形凹状のスペーサ用配置部６５を有している。この配置部６５には、取付孔６５ａが中央部に設けられるとともに、位置決め孔６８が２箇所の角部に設けられている。複数のスペーサ６７のうち、最初のスペース６７は取付部６０の対応端に薄肉状の裁断予定部６６を介して接続され、２番目のスペーサ６７は最初のスペーサ６７の対応端に薄肉状の裁断予定部６６を介して接続され、３番目のスペーサ６７は２番目のスペーサ６７の対応端に薄肉状の裁断予定部６６を介して接続されている。各スペーサ６７には、図１３（ａ）のごとくスペーサ６７を裁断予定部６６で切断した後、上下逆転した状態で配置部６５に重ねたときに、取付孔６５ａと一致する取付孔６７ａと、位置決め孔６８と一致する位置決め孔６９又はそれに代えて位置決め凸部とが設けられている。
【００５２】
以上のストライカー６Ａは、横溝９ａに対し、取付部６０を溝内底面に位置決め配置した後、取付孔６２ａ，６２ｂに挿通される２本のねじＭにより取り付けられる。ストライカー６は、この取付状態において、係合突起６１が横溝内に突出されている。また、この構造では、ストライカー６Ａが複数のスペース６７を有しているため、１以上のスペーサ６７を使って引込具用ケース１及び受け部材８Ａと横溝９ａとの間の隙間を適度に埋めるようにして前記隙間調整を的確かつ迅速に行うことができる。
【００５３】
すなわち、この操作では、例えばストライカー６Ａを本体枠９の横溝９ａに取り付けるときに、又は、取り付けた後で引戸５０が継続使用により変形して移動時に跳ね上がってスムースに移動できなくなったときに、必要枚数のスペーサ６７を裁断予定部６６を介して切り離し後、配置部６５に順に重ねるよう配置するとともに、ねじＭなどで取り付けることにより、ケース１及び受け部材８Ａと横溝９ａとの間の隙間を調整する。従って、以上のような構造では、横溝９ａに加工を施すことなくストライカー６Ａを簡単に取り付けることができ、例えば引込具を横溝９ａに配置する従来構造に比べ取付工数を大幅に低減可能にし、加えて邪魔にならない箇所に配置されるスペーサ６７を活用して引戸５０のスムースな移動を維持できるという利点を有している。なお、延長部６４は取付部６０の一部として捉えてもよい。
【００５４】
（作動）図１４は以上の引戸補助装置、つまり引込具及びストライカーの引込作動を示している。ここでは、第２形態の配置例（引込具５、遮光部材７、受け部材８Ａ）の例で説明するが、第１形態の配置例（引込具５、受け部材８、遮光部材７、受け部材８）でも同じである。
【００５５】
（１）図１４（ａ）は引戸５０を同図の矢印方向つまり開から閉方向へ移動操作している過程を想定している。ここでは、引込具５を構成しているラッチ３の待機姿勢を位置固定されているストライカー６と共に示している。ラッチ３の待機姿勢では、付勢手段Ｓであるコイルバネは引き延ばされて付勢力を蓄積している。ラッチ３は、凸部３３，３４がケース側係止溝１４ｂ及び不図示のカバー側係止溝に係止され、それによりスライダー２を付勢手段Ｓの付勢力に抗して位置規制している。
【００５６】
（２）そして、以上の引込具５は、例えば、引戸５０が開状態から閉位置の少し手前まで移動されると、位置固定されているストライカー６の係合突起６１が引込具５の一端側に設けられた案内部１ｂから誘い部１ａ（１６）に沿って相対的に移行されてケース１内から外へ露出されているラッチ３の対応部に当接する。すると、ラッチ３は、係合突起６１から受ける応力により軸部２７を支点として逆時計回りに回転され、その回転により凸部３３，３４が対応する係止溝１４ｂから係止解除されて対応する直線溝１４ａと嵌合して引込姿勢に切り換えられる。同時に、係合突起６１はラッチ側爪部３５の内側、つまり拘束部３６に拘束される。
【００５７】
（３）図１４（ｂ）はラッチ３が引込姿勢に切り換えられた後、引戸５０が付勢手段Ｓの付勢力により移動されて閉位置に切り換えられた状態を示している。すなわち、この引戸補助装置では、ラッチ３が同図のごとく引込姿勢に切り換えられると、係合突起６１をラッチ側拘束部３６に拘束した状態で、スライダー２がラッチ３と共に付勢手段Ｓの付勢力により摺動され、それに伴って引戸５０は閉位置まで移動される。この場合、この形態では、引戸５０が付勢手段Ｓの付勢力により移動されるとき、上記した制動手段４の制動を受けて緩やかに移動される。引戸５０の閉位置では、引込具５と受け部材８Ａとの間に隙間無く連接されている遮光部材７を有しているため、例えば室内の光が外へ洩れるという虞を解消できる。
【００５８】
（４）引戸５０は、図１４（ｂ）の矢印方向つまり閉位置から開方向へ移動操作する過程において、ラッチ３が引込姿勢になっていて拘束部３６に係合している係合突起６１を介してスライダ２と共に摺動され、この摺動により付勢手段Ｓに付勢力を蓄積する。引戸５０が更に右側へ移動されて、ラッチ３が図１４（ａ）のごとく凸部３３，３４が対応する直線溝１４ａから対応する係止溝１４ｂに達する。すると、ラッチ３は、係合突起６１が爪部３５を押し拘束部３６から抜け出すときの反力により軸部２７を支点として時計回りへ回転しながら、凸部３３，３４が対応する係止溝１４ｂに係合して待機姿勢に切り換えられる。付勢手段Ｓに蓄えられた付勢力はラッチ３が待機姿勢にある限保たれることになる。
【００５９】
なお、本発明は、以上の各形態に制約されるものではなく、請求項で特定される技術要素を備えておればよく、細部については各形態を参考にして更に展開したり変更可能なものである。
【符号の説明】
【００６０】
１…ケース（１０は上面、１２は側面、１５はカバー）
２…スライダー（２３，２４は凸部、２７は軸部、２５は差込穴）
３…ラッチ（３３，３４は凸部、３５は爪部、３６は拘束部、３８は係止部）
４…制動手段（４０はシリンダー、４１はピストンロッド）
５…引込具
６，６Ａ…ストライカー（６０は取付部、６１は係合突起、６７はスペーサ）
７…遮光部材（７０は水平部、７１は遮光部、７３と７５は弾性当接部）
８,８Ａ…受け部材（８０は取付孔、８１は側面、８４は端面、８５は嵌合溝）
９…本体枠（９ａは横溝）
５０…引戸（５０ａ，５０ｂは端面、５１は上端面）
Ｓ…付勢手段（Ｓ1，Ｓ2は両側の係止部）
【図１】
0005606798.tif 000002
【図２】
0005606798.tif 000003
【図３】
0005606798.tif 000004
【図４】
0005606798.tif 000005
【図５】
0005606798.tif 000006
【図６】
0005606798.tif 000007
【図７】
0005606798.tif 000008
【図８】
0005606798.tif 000009
【図９】
0005606798.tif 000010
【図１０】
0005606798.tif 000011
【図１１】
0005606798.tif 000012
【図１２】
0005606798.tif 000013
【図１３】
0005606798.tif 000014
【図１４】
0005606798.tif 000015
【図１５】
0005606798.tif 000016